(57)【要約】１つまたは複数のブレードを有するタービンロータ（３）と、発電機（４）と、該タービンロータ（３）と該発電機（４）とを相互接続する駆動系（５）とを備える風力タービン（１）。上記駆動系（５）は、該タービンロータ（３）によって直接駆動される主歯車（６）を備えている。複数のピニオンが主歯車（６）と係合している。各該ピニオンは油圧ポンプ（７）を駆動する。油圧モータ（８）は、それぞれ高圧（９）および低圧ラインを介して該夫々のポンプ（７）に接続されている。該油圧モータ（８）は発電機（４）の入力軸と係合している。遊星歯車伝動装置（１０）が各ピニオンと該夫々の油圧ポンプ（７）との間に配置されている。【選択図】図１
2019535963.tif 000002
【特許請求の範囲】
【請求項１】
風力タービン（１）は、１つまたは複数のブレードを有するタービンロータ（３）、発電機（４）、および該タービンロータ（３）と該発電機とを相互接続する駆動系（５）を備え、前記駆動系（５）は、該タービンロータ（３）によって直接駆動される主歯車（６）、該主歯車（６）と係合する複数のピニオン、および複数の油圧ポンプ（７）を備え、各油圧ポンプ（７）は、前記ピニオンの１つによって駆動され、少なくとも１つの油圧モータ（８）が、それぞれ高圧ライン（９）および低圧ラインを介して該夫々の油圧ポンプ（７）に接続され、該少なくとも１つの油圧モータ（８）は、該発電機（４）の入力軸と係合している、上記風力タービン（１）において、
遊星歯車伝動装置（１０）が、各ピニオンと該夫々の油圧ポンプ（７）との間に配置されていることを特徴とする、
上記風力タービン（１）。
【請求項２】
該油圧モータは、該ポンプの各々と実質的に同じ容量を有する、請求項１に記載の風力タービン（１）。
【請求項３】
複数の該ポンプ（７）は、該主歯車（６）の両側に配置されている、請求項１または２に記載の風力タービン（１）。
【請求項４】
該主歯車（６）は外歯車である、請求項１〜３のいずれか１項に記載の風力タービン（１）。
【請求項５】
複数の該ポンプ（７）は、実質的に同じ容量を有する、請求項１〜４のいずれか１項に記載の風力タービン（１）。
【請求項６】
該駆動系（５）は、実質的に同じ容量を有する少なくとも２つの油圧モータ（８）を有する、請求項１〜５のいずれか１項に記載の風力タービン（１）。
【請求項７】
該主歯車を収容し、かつ該遊星歯車伝動装置および該油圧ポンプを支持している環状歯車ボックスを備えている、請求項１〜６のいずれか１項に記載の風力タービン。
【発明の詳細な説明】
【技術分野】
【０００１】
本発明は、風力タービンであって、１つまたは複数のブレードを有するタービンロータ、発電機、および該タービンロータと該発電機とを相互接続する駆動系を備えている風力タービンに関する。上記駆動系は、該タービンロータによって直接駆動される主歯車と、この主歯車と係合する複数のピニオンと、これらピニオンの１つによってそれぞれ駆動される複数の油圧ポンプと、それぞれの高圧ラインと低圧ラインを介してそれぞれの油圧ポンプに接続された少なくとも１つの油圧モータとを備えている。少なくとも１つの油圧モータは、該発電機の入力軸と係合している。
【背景技術】
【０００２】
油圧伝動装置を備えた風力タービンは、例えば、国際公開第２０１３／１０４６９４号に開示されている。長いブレードを備えた大型のマルチＭＷ風力タービンは、風から電力を生成するのに最も効率的であるように見える。空気を切って動くときのブレードの先端の最高速度に対する自然な制限のせいで、タービンの回転速度は、ブレードの長さが増すにつれて遅くなりうる。より長いブレード長を有する風力タービンの場合、タービンロータの回転速度は、例えば毎分１０回転に制限されることがある。発電機は、ブレードによって生成された動力を電気に変換するのに適しており、例えば毎分１５００回転の回転速度で回転しうる。これは、発電機とタービンロータとの間の駆動系が１５０の変速比を有しうることを意味する。公知の風力タービンにおいて、この変速比は、主歯車とピニオンとの間の機械的伝動、および油圧ポンプと油圧モータとの間の油圧伝動によって作られる。
【発明の概要】
【発明が解決しようとする課題】
【０００３】
本発明の目的は、効率が改善された風力タービンを提供することである。
【課題を解決するための手段】
【０００４】
この目的は、本発明による本風力タービンによって達成され、この場合、遊星歯車伝動装置は、各ピニオンとそれぞれの油圧ポンプとの間に配設されている。これは、２つの歯車伝動段を介して高い機械的変速比を達成する機会を提供する。その結果、該ポンプの回転速度は、相対的に高くなり得、これは相対的に小型の油圧ポンプを必要とし、該駆動系のより軽い重量および全効率の改善に導く。さらに、相対的に小さなポンプを適用することの利点は、ポンプの数が容易に変えられうるのに対して、該主歯車のサイズは同じままであることである。これは、より多いまたはより少ない油圧ポンプを適用することによって、出力電力に関して該風力タービンを寸法設定する際の高度の柔軟性を提供する。
【０００５】
実際には、該主歯車は外歯車であり、該ピニオンと該主歯車の回転軸は平行でありうる。
【０００６】
１つのまたは複数の該油圧モータの容量は、該複数の油圧ポンプの容量と同じでありうる。
【０００７】
本風力タービンの広範囲の出力容量を生み出すために、該ポンプは該主歯車の両側に配置されうる。
【０００８】
該複数のポンプは実質的に同じ容量を有しうる。これは、多かれ少なかれ類似のポンプを適用することによって、モジュール方式で異なる公称出力を有する風力タービンを構築する機会を提供する。
【０００９】
同様に、該駆動系が少なくとも２つの油圧モータを有する場合に、該複数のモータは実質的に同じ容量を有しうる。
【００１０】
ポンプ、モータ、および発電機の多数の組み合わせが、本風力タービンの該タービンロータおよび主歯車の寸法を変えることなく、作られうることは明らかであろう。
【００１１】
任意的に、該駆動系は、該主歯車を収容し、該遊星歯車伝動装置および該油圧ポンプを支持する環状歯車ボックスを備えうる。該環状歯車ボックスは、例えば主軸受に結合されてもよい。このような環状歯車ボックスを使用することは、全体として該駆動系の軽量化に寄与する。
【００１２】
さらに、１つまたは複数のブレードを有するタービンロータ、発電機、および該タービンロータと該発電機とを相互接続する駆動系とを備えている風力タービンが開示される。該駆動系は、該タービンロータによって直接駆動される主歯車、該主歯車と噛み合う複数のピニオン、複数の油圧ポンプ（各油圧ポンプは上記ピニオンの１つによって駆動される）、およびそれぞれの高圧ラインと低圧ラインを介してそれぞれの該ポンプへ接続された少なくとも１つの油圧モータを備えている。該少なくとも１つの油圧モータは、該発電機の入力軸と係合している。該ポンプは該主歯車の対向する両側に置かれている。
【００１３】
さらに、別の風力タービンが開示され、該風力タービンは、１つまたは複数のブレードを有するタービンロータ、発電機、該タービンロータと該発電機とを相互接続する駆動系とを備えている。該駆動系は、該タービンロータによって直接駆動される主歯車と、該主歯車と噛み合う複数のピニオン、複数の油圧ポンプ（各ポンプは上記ピニオンの１つによって駆動される）、およびそれぞれの高圧ラインと低圧ラインを介してそれぞれの該ポンプへ接続された少なくとも１つの油圧モータを備えている。少なくとも１つの油圧モータは、該発電機の入力軸と係合し、かつ該主歯車の１つの反対側で１つまたは複数のポンプに接続されている。
【００１４】
本発明は以下に、本発明の実施態様を例として示す非常に概略的な図面を参照しながら説明される。
【図面の簡単な説明】
【００１５】
【図１】本発明に係る風車の１実施態様の一部分の斜視図である。
【図２】図１の実施態様の一部分を拡大した図１と同様の斜視図である。
【図３】図２と類似の図であるが、代替の実施態様を示している。
【図４】ポンプを備えた主歯車の断面図である。
【発明を実施するための形態】
【００１６】
図１は、本発明による風力タービン１の実施態様の一部分を示している。風力タービン１は、タワー（図示せず）に取り付けられたナセル２を有している。風力タービン１は、３つのブレード（図示せず）を備えたタービンロータ３と、ナセル２の内側に取り付けられた２つの発電機４とを備えている。発電機４はブレード３によって生成された動力を電気に変換するのに適しており、かつ例えば毎分１５００回転の最大回転速度で回転するので、発電機４の寸法は制限される。タービンロータ３は、はるかに遅い速度、例えば毎分１０回転で回転する。
【００１７】
駆動系５は、タービンロータ３と発電機４とを相互接続する。駆動系５は、外歯車６Ａを収容する環状歯車ボックス６を備えている（図４参照）。主歯車はタービンロータ３によって直接に駆動される。６つのピニオン７Ａ（図４）は主歯車６Ａと噛み合う。
【００１８】
図２は、駆動系５を拡大して示している。駆動系５は、６つの油圧ポンプ７と２つの油圧モータ８を備えている。各ポンプ７はピニオンの１つによって駆動され、各油圧モータ８はそれぞれ高圧ライン９と低圧ライン（図示せず）を介して３つのポンプ７に接続されている。各油圧モータ８は、各発電機４を駆動するために各発電機４の入力軸と係合している。
【００１９】
各ピニオンとこれと協働する油圧ポンプ７との間に、遊星歯車伝動装置１０が配置されている。これは２つの歯車伝動段を通した機械的伝動が適用されることを意味する。
【００２０】
図３は、風力タービン１の代替の実施態様の一部分を示している。この場合、駆動系５は１６個のポンプ７を含み、そのうち８個のポンプ７は主歯車６の前側に配置され、８個のポンプ７は主歯車６の後側に配置されている。さらに、この実施態様の駆動系５は、２つの同様の油圧モータのシャフトが互いに連結されている２つの二重油圧モータ８’を備えている。前側のポンプ７は一方の二重油圧モータ８’に接続され、後側のポンプ７は他方の二重油圧モータ８'に接続されている。
【００２１】
図示された実施態様において、それぞれのポンプ７およびそれぞれのモータ８は、類似しているので、動力容量の異なる複数の風力タービンが、タービンロータ３と主歯車６の寸法を変えないでポンプ７、モータ８、および発電機４の数を変えることによって、モジュール式で組み立てられうる。
【符号の説明】
【００２２】
１      風力タービン
２      ナセル
３      タービンロータ
４      発電機
５      駆動系
６      主歯車
６Ａ    外歯車
７      油圧ポンプ
７Ａ    ピニオン
８      油圧モータ
８’    二重油圧モータ
９      高圧ライン
１０      遊星歯車伝動装置
【図１】
2019535963.tif 000003
【図２】
2019535963.tif 000004
【図３】
2019535963.tif 000005
【図４】
2019535963.tif 000006
【国際調査報告】
2019535963.tif 000007
2019535963.tif 000008
2019535963.tif 000009